【事件の表示】
　平成９年商標登録願第１５９２５８号拒絶査定に対する審判事件について、次のとおり審決する。
【結論】
　原査定を取り消す。
　本願商標は、登録すべきものとする。
【理由】
１　本願商標
　本願商標は、「ＳＥＮＳＯＲｌＵＭ」の文字を横書きしてなり（標準文字による商標）、願書記載の商品及び役務の区分「第９類」、「第１０類」、「第１６類」、「第３８類」、「第４２類」の各区分に属する商品及び役務を指定商品又は指定役務として、平成９年９月１９日登録出願され、その後、指定商品及び指定役務については当審における平成１３年５月１０日付け手続補正書をもって、第１６類「紙製包装用容器，紙製テーブルクロス，印刷物，文房具類」、第３８類「移動体電話による通信，テレックスによる通信，電子計算機端末による通信，電報による通信，電話による通信，ファクシミリによる通信，電子計算機端末による通信ネットワークの提供，無線呼出し，報道をする者に対するニュースの供給，電話機・ファクシミリその他の通信機器の貸与，移動体電話による通信の加入契約の媒介又は取次ぎ，テレックスによる通信の加入契約の媒介又は取次ぎ，電子計算機端末による通信の利用の媒介又は取次ぎ，電子計算機端末による通信（インターネット・その他の通信ネットワークを利用した電子計算機端末による通信を含む。）の加入契約の媒介又は取次ぎ，電報による通信の加入契約の媒介又は取次ぎ，電話による通信の加入契約の媒介又は取次ぎ，ファクシミリによる通信の加入契約の媒介又は取次ぎ，無線呼出しの加入契約の媒介又は取次ぎ，報道をする者に対するニュースの供給の媒介又は取次ぎ，電話機・ファクシミリその他の通信機器の貸与の媒介又は取次ぎ，移動体電話による通信に関する情報の提供，テレックスによる通信に関する情報の提供，電子計算機端末による通信に関する情報の提供，電報による通信に関する情報の提供，電話による通信に関する情報の提供，ファクシミリによる通信に関する情報の提供，電子計算機端末による通信ネットワーク（インターネットを含む。）に関する情報の提供，無線呼出しに関する情報の提供，電話機・ファクシミリその他の通信機器の貸与に関する情報の提供」、第４２類「宿泊施設の提供，宿泊施設の提供の契約の媒介又は取次ぎ，飲食物の提供，宴会のための施設の提供，オフセット印刷，グラビア印刷，スクリーン印刷，石版印刷，凸版印刷，医療情報の提供，気象情報の提供，求人情報の提供，婚礼（結婚披露を含む。）のための施設の提供，葬儀の執行，機械・装置若しくは器具（これらの部品を含む。）又はこれらにより構成される設備の設計，建築物の設計，デザインの考案，電子計算機・自動車その他その用途に応じて的確な操作をするためには高度の専門的な知識・技術又は経験を必要とする機械の性能・操作方法等に関する紹介及び説明，電子計算機のプログラムの設計・作成又は保守，医薬品・化粧品又は食品の試験・検査又は研究，機械器具に関する試験又は研究，建築又は都市計画に関する研究，公害の防止に関する試験又は研究，電気に関する試験又は研究，土木に関する試験又は研究，農業・畜産又は水産に関する試験・検査又は研究，環境に関する試験・研究又は測定分析，金属材料に関する試験・研究又は測定分析，半導体プロセス技術に関するコンサルティング，編み機の貸与，衣服の貸与，植木の貸与，カーテンの貸与，会議室の貸与，家具の貸与，火災報知器の貸与，加熱器の貸与，壁掛けの貸与，カメラの貸与，漁業用機械器具の貸与，光学機械器具の貸与，鉱山機械器具の貸与，計測機械器具・分析機械器具・その他の測定機械器具の貸与，コンバインの貸与，祭壇の貸与，敷物の貸与，自動販売機の貸与，芝刈機の貸与，消火器の貸与，タオルの貸与，暖冷房装置の貸与，超音波診断装置の貸与，調理台の貸与，展示施設の貸与，凸版印刷機の貸与，電子計算機（中央処理装置及び電子計算機用プログラムを記憶させた電子回路・磁気ディスク・磁気テープその他の周辺機器を含む。）の貸与，流し台の貸与，美容院用又は理髪店用の機械器具の貸与，布団の貸与，ミシンの貸与，理化学機械器具の貸与，ルームクーラーの貸与，飲食物の提供の媒介又は取次ぎ，宴会のための施設の提供の媒介又は取次ぎ，美容の媒介又は取次ぎ，理容の媒介又は取次ぎ，入浴施設の提供の媒介又は取次ぎ，写真の撮影の媒介又は取次ぎ，オフセット印刷の媒介又は取次ぎ，グラビア印刷の媒介又は取次ぎ，スクリーン印刷の媒介又は取次ぎ，石版印刷の媒介又は取次ぎ，凸版印刷の媒介又は取次ぎ，結婚又は交際を希望する者への異性の紹介の媒介又は取次ぎ，婚礼（結婚披露を含む。）のための施設の提供の媒介又は取次ぎ，葬儀の執行の媒介又は取次ぎ，墓地又は納骨堂の提供の媒介又は取次ぎ，一般廃棄物の収集及び分別の媒介又は取次ぎ，産業廃棄物の収集及び分別の媒介又は取次ぎ，庭園又は花壇の手入れの媒介又は取次ぎ，庭園樹の植樹の媒介又は取次ぎ，肥料の散布，雑草の防除の媒介又は取次ぎ，有害動物の防除（農業・園芸又は林業に関するものに限る。）の媒介又は取次ぎ，機械・装置若しくは器具（これらの部品を含む。）又はこれらにより構成される設備の設計の媒介又は取次ぎ，建築物の設計の媒介又は取次ぎ，測量の媒介又は取次ぎ，地質の調査の媒介又は取次ぎ，デザインの考案の媒介又は取次ぎ，電子計算機・自動車その他その用途に応じて的確な操作をするためには高度の専門的な知識・技術又は経験を必要とする機械の性能・操作方法等に関する紹介及び説明の媒介又は取次ぎ，電子計算機のプログラムの設計・作成又は保守の媒介又は取次ぎ，医薬品・化粧品又は食品の試験・検査又は研究の媒介又は取次ぎ，機械器具に関する試験又は研究の媒介又は取次ぎ，建築又は都市計画に関する研究の媒介又は取次ぎ，公害の防止に関する試験又は研究の媒介又は取次ぎ，電気に関する試験又は研究の媒介又は取次ぎ，土木に関する試験又は研究の媒介又は取次ぎ，農業・畜産又は水産に関する試験・検査又は研究の媒介又は取次ぎ，環境に関する試験・研究又は測定分析の媒介又は取次ぎ，金属材料に関する試験・研究又は測定分析の媒介又は取次ぎ，半導体プロセス技術に関するコンサルティングの媒介又は取次ぎ，通訳の媒介又は取次ぎ，翻訳の媒介又は取次ぎ，施設の警備の媒介又は取次ぎ，身辺の警備の媒介又は取次ぎ，個人の身元又は行動に関する調査の媒介又は取次ぎ，あん摩・マッサージ及び指圧の媒介又は取次ぎ，編み機の貸与の媒介又は取次ぎ，衣服の貸与の媒介又は取次ぎ，植木の貸与の媒介又は取次ぎ，カーテンの貸与の媒介又は取次ぎ，会議室の貸与の媒介又は取次ぎ，家具の貸与の媒介又は取次ぎ，火災報知器の貸与の媒介又は取次ぎ，加熱器の貸与の媒介又は取次ぎ，壁掛けの貸与の媒介又は取次ぎ，カメラの貸与の媒介又は取次ぎ，漁業用機械器具の貸与の媒介又は取次ぎ，光学機械器具の貸与の媒介又は取次ぎ，鉱山機械器具の貸与の媒介又は取次ぎ，計測機械器具・分析機械器具・その他の測定機械器具の貸与の媒介又は取次ぎ，コンバインの貸与の媒介又は取次ぎ，祭壇の貸与の媒介又は取次ぎ，敷物の貸与の媒介又は取次ぎ，自動販売機の貸与の媒介又は取次ぎ，芝刈機の貸与の媒介又は取次ぎ，消火器の貸与の媒介又は取次ぎ，タオルの貸与の媒介又は取次ぎ，暖冷房装置の貸与の媒介又は取次ぎ，超音波診断装置の貸与の媒介又は取次ぎ，調理台の貸与の媒介又は取次ぎ，展示施設の貸与の媒介又は取次ぎ，凸版印刷機の貸与の媒介又は取次ぎ，電子計算機（中央処理装置及び電子計算機用プログラムを記憶させた電子回路１磁気ディスク・磁気テープその他の周辺機器を含む。）の貸与の媒介又は取次ぎ，流し台の貸与の媒介又は取次ぎ，美容院用又は理髪店用の機械器具の貸与の媒介又は取次ぎ，布団の貸与の媒介又は取次ぎ，ミシンの貸与の媒介又は取次ぎ，理化学機械器具の貸与の媒介又は取次ぎ，ルームクーラーの貸与の媒介又は取次ぎ，飲食物の提供に関する情報の提供，宴会のための施設の提供に関する情報の提供，美容に関する情報の提供，理容に関する情報の提供，入浴施設の提供に関する情報の提供，写真の撮影に関する情報の提供，オフセット印刷に関する情報の提供，グラビア印刷に関する情報の提供，スクリーン印刷に関する情報の提供，石版印刷に関する情報の提供，凸版印刷に関する情報の提供，結婚又は交際を希望する者への異性の紹介に関する情報の提供，婚礼（結婚披露を含む。）のための施設の提供に関する情報の提供，葬儀の執行に関する情報の提供，墓地又は納骨堂の提供に関する情報の提供，一般廃棄物の収集及び分別に関する情報の提供，産業廃棄物の収集及び分別に関する情報の提供，庭園又は花壇の手入れに関する情報の提供，庭園樹の植樹に関する情報の提供，雑草の防除に関する情報の提供，有害動物の防除（農業・園芸又は林業に関するものに限る。）に関する情報の提供，機械・装置若しくは器具（これらの部品を含む。）又はこれらにより構成される設備の設計に関する情報の提供，建築物の設計に関する情報の提供，測量に関する情報の提供，地質の調査に関する情報の提供，デザインの考案に関する情報の提供，電子計算機・自動車その他その用途に応じて的確な操作をするためには高度の専門的な知識・技術又は経験を必要とする機械の性能・操作方法等に関する紹介及び説明に関する情報の提供，電子計算機のプログラムの設計・作成又は保守に関する情報の提供，医薬品・化粧品又は食品の試験・検査又は研究に関する情報の提供，機械器具に関する試験又は研究に関する情報の提供，建築又は都市計画に関する研究に関する情報の提供，公害の防止に関する試験又は研究に関する情報の提供，電気に関する試験又は研究に関する情報の提供，土木に関する試験又は研究に関する情報の提供，農業・畜産又は水産に関する試験・検査又は研究に関する情報の提供，環境に関する試験・研究又は測定分析に関する情報の提供，金属材料に関する試験・研究又は測定分析に関する情報の提供，半導体プロセス技術に関するコンサルティングに関する情報の提供，通訳に関する情報の提供，翻訳に関する情報の提供，施設の警備に関する情報の提供，身辺の警備に関する情報の提供，個人の身元又は行動に関する調査に関する情報の提供，あん摩・マッサージ及び指圧に関する情報の提供，編み機の貸与に関する情報の提供，衣服の貸与に関する情報の提供，植木の貸与に関する情報の提供，カーテンの貸与に関する情報の提供，会議室の貸与に関する情報の提供，家具の貸与に関する情報の提供，火災報知器の貸与に関する情報の提供，加熱器の貸与に関する情報の提供，壁掛けの貸与に関する情報の提供，カメラの貸与に関する情報の提供，漁業用機械器具の貸与に関する情報の提供，光学機械器具の貸与に関する情報の提供，鉱山機械器具の貸与に関する情報の提供，計測機械器具・分析機械器具・その他の測定機械器具の貸与に関する情報の提供，コンバインの貸与に関する情報の提供，祭壇の貸与に関する情報の提供，敷物の貸与に関する情報の提供，自動販売機の貸与に関する情報の提供，芝刈機の貸与に関する情報の提供，消火器の貸与に関する情報の提供，タオルの貸与に関する情報の提供，暖冷房装置の貸与に関する情報の提供，超音波診断装置の貸与に関する情報の提供，調理台の貸与に関する情報の提供，展示施設の貸与に関する情報の提供，凸版印刷機の貸与に関する情報の提供，電子計算機（中央処理装置及び電子計算機用プログラムを記憶させた電子回路・磁気ディスク・磁気テープその他の周辺機器を含む。）の貸与に関する情報の提供，流し台の貸与に関する情報の提供，美容院用又は理髪店用の機械器具の貸与に関する情報の提供，布団の貸与に関する情報の提供，ミシンの貸与に関する情報の提供，理化学機械器具の貸与に関する情報の提供，ルームクーラーの貸与に関する情報の提供」とする補正がされたものである。
２　引用商標
　原査定において、本願商標は、商標法第４条第１項第１１号に該当するとして、本願の拒絶の理由に引用した登録第２０９３１５７号商標（以下「引用商標」という。）は、昭和６１年６月１２日登録出願、別掲のとおり、「Ｓｅｎｓｏｒｉｕｍ」の文字を筆記体風に横書きしてなり、第１０類「光学機械器具、その他本類に属する商品」を指定商品として昭和６３年１１月３０日に設定登録がされ、該商標権は現に有効に存続するものである。
３　当審の判断
　本願商標は、その指定商品及び指定役務について前記１のとおり補正された結果、引用商標の指定商品と同一又は類似の商品は、すべて削除されたと認められるものである。
　その結果、本願商標の指定商品及び指定役務は、引用商標の指定商品と類似しないものになったと認められる。
　してみれば、本願商標が商標法第４条第１項第１１号に該当するとして本願を拒絶した原査定の拒絶の理由は解消した。
　その他、本願について拒絶の理由を発見しない。
　よって、結論のとおり審決する。